(57)【要約】【課題】本発明は無段階伸縮構成を具備したステッキであるけれども、従来の固定機能低下と不用意な短縮の招来及び危険性を解消し、操作性に優れた安全性の高い伸縮ステッキの提供を課題とする。【解決手段】ハンドル３６を取付けたハンドル側パイプ３１の内部へ、下端部に石突き５０を取付けた脚側パイプ４１の上端部を挿入して、ハンドル側パイプに対して脚側パイプを長さ方向へ無段階で伸縮調節固定するようにした伸縮ステッキであって、脚側パイプに装着して軸径方向に締付けるコイルばね１１、１２と、該コイルばねを被嵌するようにハンドル側パイプに固定するスリット付円筒１４とからなり、前記コイルばねの構成線材の一端を係止する係止端１１M、１２ｍとして固定し、他端を解除操作端１１J、１２ｊとして前記スリット付円筒から突出させて締付け解除方向に操作するように結合した伸縮調節手段を具備させたことを特徴とする伸縮ステッキ。【選択図】      図１
2004188093.tif 000002
【特許請求の範囲】
【請求項１】
上端部にハンドル(36)を取付けた所定長さのハンドル側パイプ(31)の内部へ、下端部に石突き(50)を取付けた脚側パイプ(41)の上端部を挿入して、ハンドル側パイプ(31)に対して脚側パイプ(41)を長さ方向へ無段階で伸縮調節固定するようにした伸縮ステッキであって、コイル内径を拡径させながら２個のコイルばね(11)、(12)を脚側パイプ(41)に挿着し、掛止用折片(14P)、(14p)と軸方向のスリット(14M)、(14m)と一対のスリット(14M)、(14m)の中央部に窓穴(14H)が形成された略円筒状のスリット付円筒(14)をコイルばね(11)、(12)に被嵌し、スリット付円筒(14)の掛止用折片(14P)とハンドル側パイプ(31)の折片掛止穴 (31P)とを掛止させ、スリット付円筒(14)のスリット(14M)、(14m)にコイルばね(11)、(12)の係止端(11M)、(12m)を係止し、コイルばね(11)、(12) の解除操作端(11J)、(12j)をスリット付円筒(14)の窓穴(14H)に突出させた一対の解除操作端(11J)と解除操作端(12j)によって伸縮調節することを特徴とする伸縮ステッキ。
【請求項２】
上端部にハンドル(36)を取付けた所定長さのハンドル側パイプ(31)の内部へ、下端部に石突き(50)を取付けた脚側パイプ(41)の上端部を挿入して、ハンドル側パイプ(31)に対して脚側パイプ(41)を長さ方向へ無段階で伸縮調節固定するようにした伸縮ステッキであって、
２個のコイルばね(11)、(12)が、脚側パイプ(41)にコイル内径を拡径させながら直列で挿着されていること、
２個のコイルばね(11)、(12)を被嵌するスリット付円筒(14)には、コイルばね(11)、(12)の係止端(11M)、(12m)を係止するスリット(14M)、(14m)と解除操作端(11J)、(12j)を突出させる窓穴 (14H)が連通させて形成されていること、
スリット付円筒(14)とハンドル側パイプ(31)は掛止されていること、
スリット付円筒(14)には脚側パイプ(41)を緩挿できる押圧パイプ(16)が掛止されていること、
ハンドル側パイプ(31)下端部と押圧パイプ(16)上端部との間に２個のコイルばね(11)、(12)が配置されていること、
脚側パイプ(41) を付勢する伸長助成ばね(321)がハンドル側パイプ(31)の内部に設けられていること、
ハンドル側パイプ(31)に嵌合されている継手(34)と脚側パイプ(41)に嵌合されている下ばね受(35)とは脱落防止金属線(33)で連杆されていること、
スリット付円筒(14)には、窓穴 (14H)から突出した解除操作端(11J)、(12j)に操作レバー(171)、(181)を突設した操作用リング(17)、(18)が係合され、操作用リング(17)、(18)を挟むように外装筒(21)、(22)が被嵌され、第１外装筒(21)はハンドル側パイプ(31)に、第２外装筒(22)は押圧パイプ(16)に嵌合されていること、
第１コイルばね(11)の上部側で接するハンドル側パイプ(31)の下端部に押圧用縁(31N)が形成され、第２コイルばね(12) の下部側で接する押圧パイプ(16)の上端部に押圧用縁(16n)が形成されたこと、を特徴とする伸縮ステッキ。
【請求項３】
ハンドル(36)の下端に固着された取付ねじ(37)によって、ハンドル側パイプ(31)に嵌合された継手(34)の内周壁に形成されたねじ山(344)に螺着されたハンドル(36)を備えた請求項１又は２記載の伸縮ステッキ。
【請求項４】
脚側パイプ(41)の下端部を固定する軸穴(511)が形成された固定基体(51)と、該固定基体(51)に対して一定範囲で球面摺動するように連結した可動接地体(52)とからなる石突き(50)を備えた請求項１又は２記載の伸縮ステッキ。
【請求項５】
脚側パイプ(41)の下端部を固定する軸穴(511)を形成された固定基体(51)と、該固定基体(51)に対して一定範囲で球面摺動するように連結した可動接地体(52)と、可動接地体(52)の下部に設けられた座グリ(538)に滑止爪(54)を嵌挿した環体(53)とからなる石突き(50)を備えた請求項１又は２記載の伸縮ステッキ。
【請求項６】
固定基体(51)と、可動接地体(52)の接地面側中心部に円形凹陥(523)を形成し可動接地体(52)の周壁に径方向に交叉した浅溝(528)及び深溝(529)を形成した可動接地体(52)と、厚肉円筒状の固定体(531)に延設し径方向に張出した溝受腕(532)と略環状の環枠(533)とを一体化して形成した環体(53)と、滑止爪(54)とを、ねじ棒(58)を順に滑止爪(54)、環体(53)、可動接地体(52)、固定基体(51)の軸穴に縦断挿入し固定基体(51)の軸穴(511)内においてねじ棒(58)に被嵌させた圧縮ばね(581)を用いて軸方向に変位するよう遊嵌結合する構成とした請求項５記載の伸縮ステッキ。
【請求項７】
上部に脚側パイプ(41)を取り付ける固定基体(61)と、下部に滑止ピン(64)が出没する案内穴(623)を有する接地体(62)と、中間部に角溝のキー溝(672)を内壁に形成した回転体(67)と、前記固定基体(61)、回転体(67)及び接地体(62)に内包されて縦断し固定基体(61)、回転体(67)及び接地体(62)を結合する略円筒状の収納体(63)の円筒内に嵌め込まれた移動体(66)とから構成され、前記移動体(66)の下部平面上に滑止ピン(64)を植設し、上部周壁にキー(662)を植設し、前記キー(662)を前記収納体(63)の周壁上下方向に沿って設けられた矩形状のキー案内穴(632)から突出させ前記キー溝(672)に嵌合させた石突き(50)を備えた請求項１又は２記載の伸縮ステッキ。
【発明の詳細な説明】
【０００１】
【発明が属する技術分野】
本発明は、主として歩行の補助に使用するステッキの全長を無段階で伸縮調節固定できるようにした伸縮ステッキに関するものである。
【０００２】
【従来の技術】
従来、一般的に知られている伸縮手段としては、例えば、家具脚、支持三脚台に多く採用されている、弾性を具備した突起を所定のピッチで形成した凹部と係合させるようにした段階的伸縮構成や、挿入用中空部を具備した固定基体の挿入部に、弾性部材からなるブッシュや複数の軸方向スリットを形成したノズル形のチャック部材を設けて、内面テーパとした操作キャップを固定基体と螺合させることにより締付けるようにした無段階伸縮構成が公知である。
【０００３】
伸縮ステッキとして開示されている伸縮手段について、つぎの３つの例を示す。第１例および第２例は段階的伸縮構成の例であり、第３例は無段階伸縮構成の例である。
【０００４】
第１例として、特開平７−５１１１０に開示された携帯用杖では、連結された大・小１組のパイプにあって大パイプに多数個開けられた孔に、小パイプ内部から外部に向ってばねによって付勢され小パイプを貫通した係合子に大パイプに開けられた複数個の孔のうち適切な位置の孔に嵌合させて伸縮長を選択し、係合子を後退させることにより係合を解除し伸縮させる機構が開示されている。
【０００５】
第２例として、実登第３０５１６７２号に開示された伸縮式杖では、小径パイプが大径パイプ内にスライドして挿し込まれ、握り部反対側の大径パイプの端部にはねじが切られ、キャップが嵌め込まれる。小径パイプには、小径パイプの外周に沿って複数個の溝が形成され、Ｃ型リングを前述の溝のうちの一個に嵌め込みキャップと大径パイプのねじでキャップ内に固定され、杖の長さを固定することが開示されている。
【０００６】
第３例として、特開平８−６６４３７には、「ハンドル２を備えたステッキ本体１には支持脚３が移動可能に収容されている。ステッキ本体１の上部に外嵌固定されたケース７内には前記支持脚３に形成された被動ラック６ａと連結されるギア機構８及び同ギア機構８を介して支持脚３をステッキ本体１からの突出方向に回転付勢するうず巻きばね９が配設されている。」、「係合ピン１６が支持脚３に形成された被係合歯６ｂに係合されることにより、ステッキ本体１と支持脚３とが相対移動不能に固定される。」と記載されているような伸縮ステッキが開示されている。
【０００７】
【特許文献１】
特開平７−５１１１０（第２頁、第１図）
【特許文献２】
実登第３０５１６７２号（第２頁、第１図）
【特許文献３】
特開平８−６６４３７（第２頁、第２図）
【０００８】
【発明が解決しようとする課題】
前記公知の段階的伸縮構成は、ステッキを長さ方向に短くして保管経済性を良好とすることができ、また使用に際しては簡単に伸長して長さを設定することができる点において、当初から長さが一定のステッキに比べて優れている。
【０００９】
しかし、上記第１例及び第２例に示したような段階的伸縮構成としたステッキは、これを使用する人の体格や姿勢を考慮すると、伸縮調節が固定のピッチとなり最適長さの設定を充足することができない。
このため最適長さの設定の可能なステッキの要求に対しては上記第３例に示したような無段階伸縮構成を具備したステッキが提供されている。
【００１０】
ところが無段階伸縮構成を具備したステッキは、使用中に生じる衝撃による振動によって螺子部あるいは係止部の緩みによって設定長さに狂いが生じることが多々あるために、たびたび調節設定をやり直す面倒があるだけでなく、固定機能低下により不意に起こるステッキ全長の短縮によって使用者がバランスを崩して転倒する等の危険性が高くなるという不都合がある。
【００１１】
上記の不都合の原因は、ステッキ使用中に生じる衝撃による振動のみでなく、ゴム、樹脂部材等を弾性部材としたブッシュを使用している場合における部材の老化にもある。
【００１２】
またノズル形のチャック部材と被チャック部材間での接触抵抗によるチャッキングでは、ステッキの伸縮側軸の表面に傷を与えて強度低下を招くだけでなく、接触部分が比較的狭い範囲であることと繰返し使用による早期摩耗によっても長さの初期設定の維持を低下させる要因となり、前記と同様、不用意な短縮を招き危険性も高くなるという不都合がある。
【００１３】
本発明は無段階伸縮構成を具備したステッキであり、従来の無段階伸縮ステッキにおける固定機能低下と不用意な短縮の招来及び危険性を解消し、操作性に優れた安全性の高い伸縮ステッキを提供する。
【００１４】
【課題を解決するための手段】
上端部にハンドルを取付けた所定長さのハンドル側パイプの内部へ、下端部に石突きを取付けた脚側パイプの上端部を挿入して、ハンドル側パイプに対して脚側パイプを長さ方向へ無段階で伸縮調節固定するようにした伸縮ステッキであって、コイル内径を拡径させながら２個のコイルばねを脚側パイプに挿着して軸径方向に締付け、掛止用折片と軸方向の２本のスリットと両スリットの中央部に窓穴が形成された略円筒状のスリット付円筒を２個のコイルばねに被嵌し、スリット付円筒の掛止用折片とハンドル側パイプの折片掛止穴に掛止させ、スリット付円筒の２本のスリットにコイルばねの係止端をそれぞれ係止し、２個のコイルばねの解除操作端をスリット付円筒の窓穴に突出させた一対の解除操作端に締付け解除方向に作用する操作を加える手段により伸縮調節することを特徴とする伸縮ステッキを提供することにより上記課題を解決したものである。
【００１５】
【発明の効果】
本発明の伸縮ステッキは、脚側パイプに軸径方向に締付ける２個のコイルばねを装着し、コイルばねの一端である係止端をコイルばねに被嵌するスリット付円筒のスリットに係合させ、スリット付円筒から突出したコイルばねの他端である解除操作端を２個のコイルばねの軸径方向に作用している締付力に抗して周方向に操作すれば、２個のコイルばねのコイル径が僅かに拡大してコイルばねと脚側パイプ間に間隙を発生させるとともに脚側パイプに対する軸径方向の締付けが解除されて、ハンドル側パイプに対して脚側パイプが軸方向にスライド可能となる。
【００１６】
したがってこの状態において、ステッキ使用者の体格や姿勢に応じて最もステッキ機能を発揮する長さとなるようスライド操作により無段階に微調節した後、2個のコイルばねの解除操作端への操作力の付与を断てば、コイルばねと脚側パイプ間の間隙が消滅し、再び2個のコイルばねが脚側パイプを軸径方向に締付けるようになるから、コイルばねのねじりに対するばね定数に応じた締付力で脚側パイプが締められ、ハンドル側パイプと脚側パイプとが所定の長さに一体化される。
【００１７】
よって本発明に係る伸縮ステッキの構成によれば、従来の固定機能低下と不用意な短縮の招来及び危険性を解消し、無段階調節による、体格、姿勢、障害等に応じた最適長さに設定固定する調節操作性と、ステッキ使用操作性に優れた安全性の高い伸縮ステッキを提供することができる。
【００１８】
また請求項２に記載の伸縮ステッキは、まず脚側パイプを伸長方向へばね付勢するばね手段をハンドル側パイプの内部に設けたから、ハンドル側パイプに対する脚側パイプの伸長を人為的に行う機会を軽減することができる。
【００１９】
そしてまた、脚側パイプに伸縮ストローク長さ分を緩挿する押圧パイプを装着したから、コイルばねのコイル内径部分と脚側パイプの周面との摺動によるスライド痕を隠して外観を良好にするとともに外部からの損傷力から保護して、損傷により生じるスライド障害や、これが起因した強度低下を解消することができる。
【００２０】
請求項２に記載のように、脚側パイプには、軸径方向に締付けるコイルばねの一端を係止端とし他端を解除操作端とする２個のコイルばねがそれぞれのコイルばねの解除操作端に取付けた操作レバーを指先で挟んで締付け解除されるように、且つ２個のコイルばねが、ハンドル側パイプの下端面と押圧パイプの上端面との間に位置するように挿着されるとともに、一対のコイルばねの係止端を係止するスリットと解除操作端を突出させる窓穴とを連通させて形成したスリット付円筒で被冠固定することにより、一対のコイルばねが脚側パイプの周囲の所定空間内に安定的に保持されて、確実な締付けと解除を確保するようになる。
【００２１】
またスリット付円筒には、窓穴から突出させた解除操作端に操作レバーを形成した一対の操作用リングと、該操作用リングを挟むように上部の外装筒と下部の外装筒とを被嵌することによって、調節部分の外観体裁を良好とするだけでなく、一対の操作用リングの操作レバーに指を掛けて挟む操作によって一対のコイルばねによる脚側パイプの締付けを簡単に解除することができるから、無段階調節を可能とするとともに、ステッキ全長を必要に応じて最短長に短縮して携帯をする場合の操作性も良好とする。
【００２２】
請求項２に記載のように、一対の伸縮操作体を構成するコイルばねに接するハンドル側パイプの下端部と押圧パイプの上端部に、コイルばねの線材の一部を軸方向に押圧してコイル径を歪（いびつ）にするための押圧用縁を形成することによって、コイルばねによる脚側パイプの締付けだけではハンドル側パイプに対する脚側パイプの伸縮及び回転を阻止しできない強い外力が脚側パイプに作用した場合には、前記押圧用縁がコイルばね線材の一部に軸方向の力を作用させてコイル径を歪（いびつ）にし周面への圧接を大とするから、一層優れた伸縮阻止及び回転阻止の機能を発揮するようになり、調節設定したステッキ長さが狂うことなく堅持することができる。
【００２３】
請求項３に記載のように、ハンドルとハンドル側パイプがねじで連結されているために、ハンドルの取替えが簡単である、ハンドルの損傷に対しては他の部分はそのまま利用してハンドルの交換のみで対応できる、ハンドルの形状を利用者の手指の形状に合わせて特別製作できる、お洒落なデザインのハンドルを利用者の嗜好に合わせて製作できるという利点が創出される。以上のように使用者の手にフィットした、ファッション性に優れた、より安全性の高い伸縮ステッキが提供できる。
【００２４】
請求項４に記載の伸縮ステッキは、脚側パイプの下端に取付ける石突きの構成を、固定基体と可動接地体とで形成し、これらを固定基体に対して球面摺動するように連結して、可動接地体が路面等に接地するようになるから、路面等の凹凸等による脚側パイプの傾きに可動接地体が順応して、ステッキ使用者への影響を緩和し、常にバランスの良い歩行補助を確保することができる。
【００２５】
また請求項５、６に記載のように、伸縮ステッキの石突きに出没可能とした滑止爪を具備させることにより、地表面と石突きの接地面での滑り抑止のために滑止爪の突出状態に変更して使用することができるから、通常の路面、雪道路面、アイスバーン路面に対応する使用が任意に選択できる経済的な伸縮ステッキを提供することができるとともに安全な歩行補助を確保することができる。
このため、一本のステッキを出先における路面状況に応じて変更して使用することができるところの利便性と経済性及び安全性の高い歩行補助機能を発揮する伸縮ステッキが提供できる。
【００２６】
特に請求項６に記載のように、石突きの可動接地体から滑止爪を出没させる出没手段として、滑止爪を装着した固定体から張出した溝受腕を具備した環体が、浅溝及び深溝を形成した可動接地体の円形凹陥に嵌挿され、溝受腕を浅溝及び深溝に遊嵌することによって滑止爪を出没させる手段を有しているということは、路面等の状態に応じて使用形態を簡単に変更することを可能にしている。
【００２７】
請求項７に記載のように、上部の固定基体と、下部に滑止ピンが出没する案内穴を有する接地体と、中間部に角溝のキー溝を内壁に形成された回転体とから構成され、前記固定基体、回転体及び接地体に内包されて縦断し固定基体、回転体及び接地体を結合する略円筒状収納体の円筒内に嵌め込まれた回転体の前記キー溝に連結しているキーと一体化して直線状に動く移動体によって、移動体の下部に取付けられた滑止ピンを接地体から出没させる構成の石突きを持つ伸縮ステッキは、接地体がグリップ性の良い材料で成形されているから地面との密着性が良好であること、使用者の人為的な回転のみというより簡単な動作で滑止ピンの出没を変更できることにより、路面など接地面の状態に応じてより迅速な操作でより安全な歩行を補助することができる。
【００２８】
【実施例】
本発明に係る伸縮ステッキの実施例は、図１に示すように、使用者の持ち手側となるハンドル部３０、接地側となる脚部４０及び上記ハンドル部３０と脚部４０を関連付けてステッキの全長を調節する伸縮操作部１０から構成されている。さらに、以下の説明に用いる各種用語は、ハンドル部３０の方向を上方とし、脚部４０の方向を下方とする関連の用語を使用することにする。
【００２９】
（実施例１）
図１は本発明に係る実施例１の伸縮ステッキの構成を示した一部省略半断面正面図、図２はハンドル部の構成を示した一部省略拡大分解断面正面図、図３は脚側パイプと脚側パイプに挿入されるコイルばね及び石突きの組み立て構成を示した断面正面図、図４は石突きを構成する可動接地体の平面図、図５は伸縮操作部の構成中、脚側パイプに装着した２個のコイルばね部分の周囲に被嵌結合される部品の分解断面図、図６は伸縮操作部の構成を段階的に示した説明図、図７は伸縮操作部の構成説明図である図６（ニ）の詳細を示した拡大半断面図、図８は図６（ニ）のＡ−Ａ線における拡大断面図であり、図８の（ａ）は２個のコイルばねによる脚側パイプのロック状態を、図８の（ｂ）はロック解除状態を示した断面図である。
【００３０】
本実施例１の伸縮ステッキは、サイズ、部品点数及び材質等について限定するものではないが、ステッキの最長870mm、最短710mm、無段階調節長さ160mmである。ハンドル側パイプ３１は外径18mm、全長350mmの材質が金属材料であるアルミ製で、上端にはハンドル３６を取り付け、下端は開放端である。脚側パイプ４１は外径16mm、全長500mmのアルミ製で、下端には石突き５０を取り付け、上端は開放端である。ハンドル側パイプ３１の開放端から脚側パイプ４１の開放端を挿入する。ハンドル側パイプ３１に対して脚側パイプ４１を伸縮操作部１０により長さ方向へ無段階で伸縮調節固定するようにした伸縮ステッキである。
【００３１】
ハンドル部３０を構成している主な部材は、図１、図２及び図３に示されるように、ハンドル側パイプ３１、下ばね受３５、上ばね受３２、伸長助成ばね３２１、脱落防止金属線３３、継手３４及びハンドル３６である。
【００３２】
ハンドル側パイプ３１には、ハンドル側パイプ３１の上端３１１から等距離にある周壁にあって等間隔の周上に、２箇所の略長方形状の舌片嵌合穴３１Sが貫設され、下端３１２から等距離にある周壁にあって等間隔の周上に、２箇所の略長方形状の嵌合穴３１Qが貫設され、下端３１２と前記嵌合穴３１Qの中間部の周壁にあって嵌合穴３１Qの一方と同じ周上位置に、１箇所の略長方形状の折片掛止穴３１Pが貫設され、さらに下端３１２に延設して押圧用縁３１Nが形成され、その形成位置は上方から見て前記折片掛止穴３１Pの位置から時計回りに９０度回転した角度の位置である。
【００３３】
ハンドル３６は、硬質プラスチック製の材質で略Ｔ字状であり、下部に取付穴３６１が設けられている。
継手３４は、略円筒形状であり、上端３４１から等距離にある周壁にあって等間隔の周上２箇所に、略長方形状で長方形の下辺を除く３辺を切断した舌片状の嵌合用舌片３４Ｓが形成されている。
【００３４】
下ばね受３５は、材質がプラスチック材料であるジュラコン樹脂製の略円筒形状であり、上端３５１から等距離にある周壁にあって等間隔の周上２箇所に、略長方形状で長方形の下辺を除く３辺を切断した舌片状の嵌合用舌片３５Rが形成されている。
【００３５】
上ばね受３２の伸長助成ばね３２１は、材質が弾性材料であるステンレス製の圧縮コイルばねであり、材料径１mm、自由長260mm、圧縮時最短60mmである。ばね受３２２は、材質がプラスチック材料であるジュラコン樹脂製の略円筒形状であり、下部円周に沿って段差３２３が形成されている。脱落防止金属線３３は、材質が金属材料であるステンレス製の金属線であり、上端には円形の支持ピン受３３１が捲き加工により形成され、下端３３２は未加工であるが、組立てのときに下端３３２から下ばね受３５を挿入した後略円形状の防止受３３３を加工することになる。
【００３６】
脚部４０を構成している主な部材は、図１、図３及び図４に示される、脚側パイプ４１及び石突き５０である。
脚側パイプ４１には、脚側パイプ４１の上端４１１から等距離にある周壁にあって等間隔の周上に、２箇所の略長方形状の舌片嵌合穴４１Rが貫設されている。
【００３７】
石突き５０を構成している主な部材は、図３に示されるように、固定基体５１、可動接地体５２、ねじ棒５８及び圧縮ばね５８１である。
固定基体５１は、材質がプラスチック材料であるウレタンゴム製であり、上部に脚側パイプ４１を挿入するための軸穴５１１が形成され、下部に球状凸面を形成し、その一部に規制突起５１２を設け、前記軸穴５１１の底部中心には、球状凸面に向って広がるラッパ状結合孔５１３が形成されている。
【００３８】
可動接地体５２は、材質がプラスチック材料であるウレタンゴム製であり、上部に球状凹面と該凹面の一部に摺動許容凹陥５２２（図４参照）を形成し、中心に取付穴５２１を設け、下部にねじ頭用凹陥５２４が形成されている。
圧縮ばね５８１は、材質が金属材料のばね材料であるコイルばねである。
【００３９】
伸縮操作部１０を構成している主な部材は、図１、図３及び図５乃至図７に示されるように、第１コイルばね１１、第２コイルばね１２、スリット付円筒１４、分離リング１５、押圧パイプ１６、第１操作用リング１７、第２操作用リング１８、第１外装筒２１及び第２外装筒２２である。
【００４０】
第１コイルばね１１は、材質がばね性のあるステンレス製の左捲きのコイルばねで、材料径1mm、自由時においては脚側パイプ４１の外径より小さい寸法のコイル内径を有し、上部巻端と下部巻端を半径方向外向きに折り曲げ終端とし、上部終端を第１係止端１１M、下部終端を第１解除操作端１１Jとする。第２コイルばね１２は、第１コイルばね１１と同じ形状と材質であるが、上部終端を第２解除操作端１２ｊ、下部終端を第２係止端１２ｍとする。
【００４１】
スリット付円筒１４は、材質が金属材料であるアルミ製のパイプの軸方向にパイプの全長にわたって周壁を切り落とした第１コイルばね１１の材料径１ｍｍより広いスリットが形成され、スリット全長の中央部には、スリット幅より広い窓穴１４Hが貫通されている。スリット付円筒１４のスリットにおいて、上方のスリットを第１スリット１４M、下方のスリットを第２スリット１４ｍとする。
【００４２】
第１スリット１４Ｍの両側の一部縁には、内側へ折曲形成した第１掛止用折片１４Ｐを設ける。第２スリット１４ｍにも同様の第２掛止用折片１４ｐを設ける。
分離リング１５は、材質が金属材料である鋼製のリング状で、かつ、外部に向って凸状の断面形状を有している。
【００４３】
押圧パイプ１６は、材質が金属材料であるアルミ製のパイプで、押圧パイプ１６の上端１６３から等距離にある周壁にあって等間隔の周上に、２箇所の略長方形状の嵌合穴１６ｑが貫設され、上端１６３と嵌合穴１６ｑの中間部の周壁にあって前記嵌合穴１６ｑの一方と同じ周上位置に、１箇所の略長方形状の折片掛止穴１６ｐが貫設され、押圧パイプ１６の下端部分の外周にねじ山１６４が、さらに上端１６３に延設されて押圧用縁１６ｎが形成され、その形成位置は上方から見て前記折片掛止穴１６ｐの位置から時計回りに９０度回転した角度の位置である。
【００４４】
第１操作用リング１７は、図５及び図８に示すように、材質が金属材料である真鍮のダイキャスト製の略円筒形状で、下部に内径より大きい直径を持つ段差１７Hが形成され、外周の上端任意の位置から軸方向に向って第１操作用リング１７の長さ方向に突出した略直方体状の第１操作レバー１７１が延設され、さらに、第１レバー用溝１７Jが第１操作用リング１７の内径側に形成され、前記第１レバー用溝１７Jの形成位置は上方から見た第１操作レバー１７１の位置から時計回りに４５度回転した角度の位置である。
【００４５】
第２操作用リング１８は、図５及び図８に示すように、第１操作用リング１７と全く同じ材質と形状であり、第２操作レバー１８１と段差１８ｈ及び第２レバー用溝１８jを持つ。第２レバー用溝１８jの形成位置は上方から見て第２操作レバー１８１の位置から反時計回りに４５度回転した角度の位置である。
【００４６】
第１外装筒２１は、図５、図６及び図７に示すように、材質が弾性材料であるゴムの略円筒形状であり、上端２１１から等距離にある周壁にあって等間隔の周上２箇所に、第１突起２１Qが形成されている。第２外装筒２２は、形状と材質が全く同じで、第２突起２２ｑが形成されている。
【００４７】
なお、ハンドル側パイプ３１、脚側パイプ４１等のパイプ部材には、アルミニウムの他、チタニウム等の軽金属、或いは繊維強化プラスチックを使用することができる。さらに、第１コイルばね１１及び第２コイルばね１２の巻方向は右巻きでもよい。
【００４８】
伸縮操作部１０、ハンドル部３０、脚部４０の順に上記各部の構成について説明する。
【００４９】
伸縮操作部１０の構成については、図６に示されるように、一番内部にある脚側パイプ４１から、最外部にある第１外装筒２１までの状態を階層順に説明する。
（イ）第１段階（図６（イ）参照）：第１コイルばね１１と第２コイルばね１２を脚側パイプ４１に挿着する。
（ロ）第２段階（図６（ロ）参照）：ハンドル側パイプ３１と脚側パイプ４１を連接する。続いて、ハンドル側パイプ３１の押圧用縁３１Nを第１コイルばね１１に、押圧パイプ１６の押圧用縁１６ｎを第２コイルばね１２に接触させる。
（ハ）第３段階（図６（ハ）参照）：ハンドル側パイプ３１と押圧パイプ１６にスリット付円筒１４を掛止して装着する。
（ニ）第４段階（図６（ニ）参照）：第１操作用リング１７、分離リング１５及び第２操作用リング１８を装着する。続いて、第１外装筒２１をハンドル側パイプ３１に、第２外装筒２２を押圧パイプ１６に嵌合して装着する。
【００５０】
上述のように伸縮操作部１０は構成されているが、さらに、詳細について説明する。
第１コイルばね１１は、図６（イ）に示されるように、脚側パイプ４１の舌片嵌合穴４１Rより下部に位置し、第１コイルばね１１の第１係止端１１Mが上部に、第１コイルばね１１の第１解除操作端１１Jが下部に位置するように第１コイルばね１１のコイル内径を拡径し脚側パイプ４１の外周側に挿着し、続いて、第２コイルばね１２は第２コイルばね１２のコイル内径を拡径し、第２コイルばね１２の第２解除操作端１２ｊが上部に、第２コイルばね１２の第２係止端１２ｍが下部に位置し、かつ、前記第１コイルばね１１の下部に位置するように脚側パイプ４１の外周側に挿着する。
【００５１】
この時、第１コイルばね１１及び第２コイルばね１２の第１解除操作端１１J、第２解除操作端１２ｊと第１係止端１１M、第２係止端１２ｍとは軸方向に対して一直線になるよう挿着する。第１コイルばね１１と第２コイルばね１２の脚側パイプ４１への挿着により、伸縮操作部１０と脚部４０が連結される。
【００５２】
続いて、図２に示されるように、ハンドル部３０の構成部材であるハンドル側パイプ３１と連接されている脱落防止金属線３３の下部に取付けられている下ばね受３５の嵌合用舌片３５Ｒが、脚側パイプ４１の舌片嵌合穴４１Rに嵌着される（図７参照）。この嵌着により、ハンドル部３０と脚部４０が連結される。
【００５３】
図６（ロ）に示されるように、ハンドル側パイプ３１の押圧用縁３１Nを第１コイルばね１１上部の第１係止端１１M側に、押圧パイプ１６の押圧用縁１６ｎを第２コイルばね１２下部の第２掛止端１２ｍ側に接触させる。図６（ハ）に示されるように、スリット付円筒１４の第１スリット１４Mに第１コイルばね１１の第１係止端１１Mを、スリット付円筒１４の第２スリット１４ｍに第２コイルばね１２の第２係止端１２ｍを挿入し、係止させる。
【００５４】
続いて、スリット付円筒１４に形成されている２個の第１掛止用折片１４Pをハンドル側パイプ３１の折片掛止穴３１Pに、スリット付円筒１４に形成されている２個の第２掛止用折片１４ｐを押圧パイプ１６の折片掛止穴１６ｐに掛止させる。この掛止により、ハンドル側パイプ３１と押圧パイプ１６の位置が固定されるとともに伸縮操作部１０とハンドル部３０のハンドル側パイプ３１が連結される。
【００５５】
図５及び図７に示されるように、第２操作用リング１８は、第２操作用リング１８の段差１８ｈを分離リング１５下端側の段差１５ｈに嵌め込み、第２コイルばね１２の第２解除操作端１２ｊを第２操作用リング１８の第２レバー用溝１８ｊに挿入する。第１操作用リング１７は、第１操作用リング１７の段差１７Ｈを分離リング１５上端側の段差１５Ｈに嵌め込み、第１コイルばね１１の第１解除操作端１１Jを第１操作用リング１７の第１レバー用溝１７Jに挿入し装着する。
【００５６】
続いて、第１外装筒２１に形成されている２箇所の第１突起２１Qをハンドル側パイプ３１の嵌合穴３１Qに嵌合し、第２外装筒２２に形成されている２箇所の第２突起２２ｑを押圧パイプ１６の嵌合穴１６ｑに嵌合し装着する。押圧パイプ１６の下部に形成されたねじ山１６４にキャップ１６１をねじ込む。
以上が伸縮操作部１０についての詳細な構成の説明である。
【００５７】
ハンドル部３０及び脚部４０における、ハンドル部３０と脚部４０構成部材の連結の詳細は、図１、図２及び図３に示されるように、支持ピン３３５を脱落防止金属線３３の上部の支持ピン受３３１と継手３４のピン穴３４３に挿入し、上ばね受３２のばね受３２２下部に設けられた段差３２３に伸長助成ばね３２１の上部を挿入した上ばね受３２を脱落防止金属線３３の下端３３２から挿入し、続いて下ばね受３５を挿入した後、脱落防止金属線３３の未加工の金属線下端３３２部分に円形状の防止受３３３を巻加工により形成する。
【００５８】
上記の加工により、ハンドル側パイプ３１の内部に収納される継手３４、上ばね受３２、伸長助成ばね３２１及び下ばね受３５は脱落防止金属線３３によって連結され、前記継手３４の嵌合用舌片３４Sがハンドル側パイプ３１の舌片嵌合穴３１Sに嵌合されることによってハンドル側パイプ３１と連結される。ハンドル３６は、ハンドル３６の取付穴３６１と継手３４の上端３４１とを固着して取付ける。
【００５９】
ハンドル部３０及び脚部４０と伸縮操作部１０との関連は次の２点である。脚側パイプ４１の上部にある舌片嵌合穴４１Rに、ハンドル部３０の脱落防止金属線３３と連結されている下ばね受３５の嵌合用舌片３５Rを嵌合することにより、脚部４０とハンドル部３０が関連付けられることと、脚側パイプ４１に第１コイルばね１１及び第２コイルばね１２を装着することにより、脚部４０と伸縮操作部１０が関連付けられることである。
【００６０】
石突き５０は、図３及び図４に示されるように、固定基体５１の下部に形成されている球状凸面の規制突起５１２に可動接地体５２の上部に形成されている球状凹面の摺動許容凹陥５２２を嵌め込んだ状態で、可動接地体５２のねじ頭用凹陥５２４からねじ棒５８を挿入し、可動接地体５２と固定基体５１を貫通して固定基体５１の軸穴５１１内部に達したねじ棒５８に圧縮ばね５８１を被嵌し固定する。石突き５０の軸穴５１１に脚側パイプ４１の下端４１２を嵌め込み固着する。
【００６１】
上記のように構成した実施例１に係る伸縮ステッキの作用と動作について述べる。
まず、伸縮操作部１０、ハンドル部３０及び脚部４０の連結状態をまとめると、図７に示されるように、次の３点になる。
（ａ）伸縮操作部１０が働いていない状態の場合には、ハンドル部３０と脚部４０は、ハンドル部３０の下ばね受３５にある嵌合用舌片３５Rが脚部４０の脚側パイプ４１にある舌片嵌合穴４１Rに嵌合されることにより連結される。しかし、この状態では、ハンドル部３０の下ばね受３５を支持している脱落防止金属線３３によってのみハンドル部３０のハンドル側パイプ３１に連接されているので、ハンドル側パイプ３１に対して脚側パイプ４１は吊り下げられた状態であり、固定されてはいない。
【００６２】
（ｂ）伸縮操作部１０の構成部材である第１コイルばね１１及び第２コイルばね１２のコイル径を拡径して脚側パイプ４１に挿着すると、第１コイルばね１１と第２コイルばね１２には、縮径しようとするばねの弾性力が働いて、脚側パイプ４１を径方向に締め付けるために、伸縮操作部１０と脚部４０は連結されることになる。
（ｃ）伸縮操作部１０とハンドル部３０は、伸縮操作部１０のスリット付円筒１４にある第１掛止用折片１４Pをハンドル部３０のハンドル側パイプ３１の折片掛止穴３１Ｐに掛止させることにより連結される。さらに、伸縮操作部１０のスリット付円筒１４にある第２掛止用折片１４ｐを伸縮操作部１０の押圧パイプ１６の折片掛止穴１６ｐに掛止すると、ハンドル側パイプ３１の押圧用縁３１Nと押圧パイプ１６の押圧用縁１６ｎとの間の長さが決定されるので、第１コイルばね１１、分離リング１５及び第２コイルばね１２の軸方向の位置が決まる。
【００６３】
実施例１に係る伸縮ステッキの伸縮調節は、図８（ａ）に示すように、通常では第１コイルばね１１及び第２コイルばね１２により脚側パイプ４１を締付けたロック状態と、図８（ｂ）に示すように、第１操作レバー１７１及び第２操作レバー１８１を変位させて第１コイルばね１１及び第２コイルばね１２を拡径させて脚側パイプ４１への締付けを解除して、２個のコイルばね１１、１２と脚側パイプ４１の間に空隙１９を創出し、ハンドル側パイプ３１に対する脚側パイプ４１の伸縮及び回動を可能とすることにより実施する。
【００６４】
２個の操作レバーである第１操作レバー１７１と第２操作レバー１８１の相互が開いた状態にある、すなわちハンドル側パイプ３１に対して脚側パイプ４１がロック状態である場合には、第１コイルばね１１と第２コイルばね１２が脚側パイプ４１を径方向に締付けるように常に作用すること、脚側パイプ４１上部の舌片嵌合穴４１Ｒとハンドル部３０の脱落防止金属線３３と連接された下ばね受３５の嵌合用舌片３５Rとが嵌合されていること、さらに、ハンドル側パイプ３１の折片掛止穴３１Ｐとスリット付円筒１４の第１掛止用折片１４Ｐとが掛止されていることにより強力なロック状態を保つようにしている。
【００６５】
脚側パイプ４１への２個のコイルばね１１、１２の軸径方向の締付けが解除されたとき、ハンドル側パイプ３１内部に収納されている圧縮ばねを使用した伸長助成ばね３２１の付勢力によって、脚側パイプ４１が軸方向にスライド可能となり、長さが一定範囲内で無段階に調節可能となるため、使用者にとって最適のステッキ長さが設定できることになる。
【００６６】
実施例１で提供される伸縮ステッキにおける、伸縮調整による効果については上述したがそれ以外の効果について次に列記する。
脱落防止金属線３３は、図１に示すように、ハンドル３６と脚側パイプ４１をハンドル３６、継手３４、支持ピン３３５、（脱落防止金属線３３）、下ばね受３５、脚側パイプ４１の順に連結するときに重要な役目を担う部材である。上記脱落防止金属線３３の作用により、使用者はロック解除時において、脚側パイプ４１の脱落を心配することなくロック解除の操作をしてステッキの長さを無段階に調節することができる。
【００６７】
スリット付円筒１４は、図５に示すように、２個のスリット１４Ｍ、１４ｍと１個の窓穴１４Ｈに、２個のコイルばね１１、１２の係止端１１Ｍ、１２ｍと解除操作端１１Ｊ、１２ｊを緩やかに固定することによって、２個のコイルばね１１、１２を位置決めする作用を行っている。さらに、2箇所の掛止用折片１４Ｐ、１４ｐによってハンドル側パイプ３１と押圧パイプ１６を位置決めする作用を行っている。したがって、スリット付円筒１４で被嵌固定されていることにより、第１コイルばね１１と第２コイルばね１２が、脚側パイプ４１の周囲の所定空間内に安定的に保持されて、確実な締付けと解除を確保することになる。
【００６８】
押圧パイプ１６は、伸縮ストローク長さ分の脚側パイプ４１を緩挿したことにより、第１コイルばね１１と第２コイルばね１２のコイル内径部分と脚側パイプ４１の周面との摺動によるスライド痕を隠して外観を良好にするとともに外部からの損傷力から保護して、損傷により生じるスライド障害や、これが起因した強度低下を解消することができる。
【００６９】
強い外力が脚側パイプ４１に作用し、２個のコイルばね１１、１２の脚側パイプ４１への締付けだけではハンドル側パイプ３１に対する脚側パイプ４１の伸縮及び回転を阻止しできない場合、その強い外力によって、ハンドル側パイプ３１の押圧用縁３１Ｎが第１コイルばね１１を押し、押圧パイプ１６の押圧用縁１６ｎが第２コイルばね１３を押すことになる。このとき、前記２個の押圧用縁３１Ｎ、１６ｎが２個のコイルばね１１、１２の線材の一部を軸方向に押圧してコイル径を歪（いびつ）にすることによって、２個のコイルばね１１、１２の脚側パイプ４１周面への圧接を大とするとともに、前記スリット付円筒１４の位置決め作用によって２個のコイルばね１１、１２の最初の位置を保とうとすることによって、優れた伸縮阻止及び回転阻止の機能を発揮するようになり、調節設定したステッキ長さが狂うことなく堅持することができる。
【００７０】
第１外装筒２１と第２外装筒２２は、伸縮操作部１０の構成部材である第１コイルばね１１、第２コイルばね１２、スリット付円筒１４を被嵌することによって、調節部分の外観体裁を良好とすることができる。
【００７１】
よって本発明に係る伸縮ステッキの構成によれば、従来の固定機能低下と不用意な短縮の招来及び危険性を解消し、伸縮ステッキの安全な使用を確保するようになる。さらに、無段階調節による、体格、姿勢、障害等に応じた最適長さに設定固定する調節操作性と、ステッキの伸長を人為的に行う機会を軽減させる使用操作性と、携帯をする場合必要に応じて最短長に短縮できる操作性に優れた安全性の高い伸縮ステッキを提供することができる。
【００７２】
（実施例２）
実施例２に係る伸縮ステッキのハンドル３６、取付ねじ３７及び継手３４について図１及び図９に基づいて説明する。
【００７３】
図９は実施例２に係る伸縮ステッキにおけるハンドル部３０の主要部分の構成を示した拡大分解断面正面図である。図９に示すように、材質が金属製の取付ねじ３７が、ハンドル３６の下端の取付穴３６１にねじ込みあるいはハンドル３６との一体成形により固着されている。略円筒状である継手３４の内周壁にはねじ山３４４が形成され、ハンドル側パイプ３１の上部を被嵌するように保護カバー３８が継手３４の上面とハンドル３６の下面の間に取り付けられている。
【００７４】
このような、実施例２の伸縮ステッキは、ハンドル３６とハンドル側パイプ３１が取付ねじ３７で連結されているためにハンドル３６の取替えが簡単である。したがって、ハンドル３６の損傷に対しては、他の部分はそのまま利用して、ハンドル３６の交換のみで対応できること、ハンドル３６の形状を利用者の手指の形状に合わせて特別に製作できること、利用者の嗜好に合わせたお洒落なデザインのハンドル３６を製作できることなどの利点が創出される。以上のように使用者の手にフィットした、ファッション性に優れた、より安全性の高い伸縮ステッキが提供できる。
【００７５】
（実施例３）
実施例３に係る伸縮ステッキは、ステッキ本体が実施例１と同じであって、石突き５０の構成が異なるものであることから、ステッキ本体の説明は省略し、石突き５０部分のみについて図１０乃至図１３に示してその構成を説明するものとする。
【００７６】
図１０は実施例３に係る伸縮ステッキの石突きの滑止爪が没した状態を示した断面図、図１１は縦方向に切断されていない可動接地体が、図１０のＣ−Ｃ線において横方向に切断されたときの断面図（ａ）と図１０のＤ−Ｄ線において横方向に切断されたときの断面図（ｂ）、図１２は石突きの滑止爪が突出した状態を示した断面図、図１３は縦方向に切断されていない環体が、図１２のＥ−Ｅ線において横方向に切断されたときの断面図（ａ）及び縦方向に切断されていない環体と滑止爪が、図１２のＦ−Ｆ線において横方向に切断されたときの断面図（ｂ）である。
【００７７】
実施例３に係る伸縮ステッキの石突き５０は、ウレタンゴム製であって、脚側パイプ４１の下端部に固定される軸穴５１１を形成した固定基体５１と、該固定基体５１に対して一定範囲で球面摺動するように連結した可動接地体５２と、滑止爪５４が接地面方向に突設され且つ前記可動接地体５２に対して軸方向にスライド自在に可動接地体５２の下部側より被冠係合する環体５３とからなり、可動接地体５２に対して環体５３に挿着された滑止爪５４を可動接地体５２から出没させる出没手段により結合した構成であって、以下固定基体５１と可動接地体５２と環体５３について順次説明する。
【００７８】
まず固定基体５１について説明すると、実施例１の固定基体５１と同様、脚側パイプ４１の下端部を挿入固定するための軸穴５１１を形成し、接合面を摺動用球状凸面とし、その一部に球面摺動を一定範囲に規制する規制突起５１２を設け、前記軸穴５１１の底部中心には、摺動用球状凸面に向って広がるラッパ状結合孔５１３を貫通させた構成となっている。
【００７９】
次に可動接地体５２について説明すると、図１2及び図１３に示すように、前記固定基体５１の摺動用球状凸面に対応する上側に、摺動用球状凹面と該凹面の一部に前記規制突起５１２ が入る摺動許容凹陥５２２（図４参照）を設けるとともに、中心軸方向に前記固定基体５１のラッパ状結合孔５１３と中心が一致するねじ棒用取付穴５２１とこれに連続して下側で開口する円形凹陥５２３を設ける。
【００８０】
前記円形凹陥５２３は、滑止爪５４を装着する環体５３の固定体５３１が納まる内径であって、円形凹陥５２３を形成している可動接地体５２の周壁には、環体５３の固定体５３１から張出した溝受腕５３２が嵌り込んで可動接地体５２の接地面から滑止爪５４を突出させるための浅溝５２８及び可動接地体５２の接地面から没しさせるための深溝５２９を、径方向に交叉する位置関係に形成した構成とする。
【００８１】
また環体５３について説明すると、可動接地体５２に対して軸方向に一定範囲で摺動するものであって、滑止爪５４を固定体５３１の下部に装着し、前記固定体５３１の径方向に張出した溝受腕５３２が内径を可動接地体５２の外径とした環枠５３３と一体に形成され、前記固定体５３１の中心には座グリ５３８を形成した構成となっている。
【００８２】
固定基体５１と可動接地体５２と環体５３とは、図１０及び図１２に示すように、その中心部のラッパ状結合孔５１３、ねじ棒用取付穴５２１及び取付穴５３４を一致させて、接地対応と爪出没に対応する圧縮ばね５８１を被嵌したねじ棒５８により連結して組立られる。
【００８３】
このように組立てた石突き５０の滑止爪５４の出没は、固定基体５１に対する可動接地体５２の球面に沿う可動とは別に、人為的操作により実施される。
【００８４】
すなわち、図１０乃至図１３に示すように、まず滑止爪５４が没して可動接地体５２の下面が接地する状態から滑止爪５４を突出させる場合には、圧縮ばね５８１に抗して環体５３を下方に引っ張って摺動させることにより、可動接地体５２の深溝５２９から、滑止爪５４の固定体５３１から径方向に張出した溝受腕５３２が脱する。
【００８５】
この脱した状態を維持しつつ、次に環体５３を９０度だけ回動させた後、圧縮ばね５８１の復元力が作用する方向へ摺動させると、固定体５３１から径方向に張出した溝受腕５３２が浅溝５２８に嵌り込んで、可動接地体５２の接地面から滑止爪５４が突出する状態となる。
【００８６】
実施例３の伸縮ステッキは、脚側パイプ４１の下端に取付ける石突き５０が固定基体５１と可動接地体５２とで形成されているため、可動接地体５２が路面等に接地したときに、路面等の凹凸等による傾きに対して脚側パイプ４１への傾きを最小限にするように可動接地体５２が順応するために、ステッキ使用者への影響を緩和し、常にバランスの良い歩行補助を確保することができる。
【００８７】
さらに、ステッキの石突き５０における、滑止爪５４が出没可能であれば、地表面と石突き５０の接地面での滑り抑止のために滑止爪５４の突出状態に変更して使用することができるから、通常の路面、雪道路面、アイスバーン路面に対応する使用が任意に選択できる経済的な伸縮ステッキを提供することができるとともに安全な歩行補助を確保することができる。
【００８８】
（実施例４）
実施例４に係る伸縮ステッキの石突き５０の部分について図１４及び図１５に示してその構成を説明するものとする。
【００８９】
図１４は実施例４に係る伸縮ステッキの石突きの構成を示した断面正面図、図１５は図１４に示した石突きの底面図である。
石突き５０は、図１４に示されるように、固定基体６１、収納体６３、移動体６６、回転体６７、接地体６２及び滑止ピン６４が主な構成部材である。
【００９０】
収納体６３は、薄肉円筒の上部に薄肉円筒の外径より大きい直径からなる円盤の蓋６３３が設けられ、上端に抜止６３６を有する略軸状の止軸６３５が円盤の中心に設けられ、矩形状のキー案内穴６３２が薄肉円筒の外周にあって軸方向に貫通して設けられ、薄肉円筒下部の全円周上に突起環６３７が設けられ、薄肉円筒中間部外周の全周にわたって溝６３８が設けられた形状であって、材質がポリオキシメチレンのジュラコン樹脂で一体成形されている。収納体６３の薄肉円筒の内部は移動体６６を収納する収納穴６３１となっている。
【００９１】
固定基体６１は、略円筒状であり、上部に取付穴６１１の周状に脚側パイプ４１を押し込む深溝６１２が設けられ、取付穴６１１の中心には収納体６３の止軸６３５を貫入させる軸穴６１５が設けられた形状であって、材質がゴムで一体成形されている。
【００９２】
収納穴６３１には、円柱状の移動体６６が挿入されている。移動体６６には、移動体６６の外周から先端が突出した状態でキー６６２が植設され、下部の円状平面には円周状に３本の滑止ピン６４が植設されている。
【００９３】
回転体６７は、略円筒状であり、内周にらせん状に角ねじのキー溝６７２が形成され、外壁を上方から見ると略波形状の断面を呈しており、外周に回転体カバー６７１が被装されている。キー６６２は、収納体６３のキー案内穴６３２より貫通して、回転体６７のキー溝６７２に挿入される。
【００９４】
接地体６２は、略円筒状であり、上部に収納体６３の下部を収納する取付穴６２１が設けられ、取付穴６２１の内面には収納体６３の突起環６３７を嵌挿する溝６２７が設けられ、下面には2重の滑止溝６２４が設けられ、前記取付穴６２１の下面と前記接地体６２下面の間を貫通する案内穴６２３が設けられた形状であって、材料がゴムで一体成形されている。
【００９５】
滑止ピン６４は、接地体６２の案内穴６２３に挿入されている。
スナップリング６８は、収納体６３の溝６３８に嵌め込まれ、回転体６７を収納体６３の蓋６３３下部に押付けて遊着させる。
材質は、固定基体６１及び回転体カバー６７１が弾性材料のゴム製で、接地体６２が弾性材料でグリップ性の良いゴム製で、収納体６３及び移動体６６がプラスチック材料のポリオキシメチレン製のジュラコン樹脂で、回転体６７と滑止ピン６４及びキー６６２が金属材料製である。
【００９６】
上述した実施例４に係る石突き５０の滑止ピン６４の出没は、まず、回転体カバー６７１を手で回転させると、回転体６７が回転し、回転体６７内面のキー溝６７２に嵌合されているキー６６２が収納体６３のキー案内穴６３２内部を回転体カバー６７１の回転方向に従って直線運動に変換され上下に移動する。つぎに、キー６６２の動きに従ってキー６６２と一体化している移動体６６が収納穴６３１の内部で上下に移動し、移動体６６下面に設置されている滑止ピン６４が接地体６２の案内穴６２３を上下し、接地体６２の下面から滑止ピン６４を出没させる。
【００９７】
以上のように、実施例４の石突き５０を持つ伸縮ステッキは、接地体６２が、グリップ性の良い材料で成形されているから地面との密着性が良好であること、人手による回転のみというより簡単な動作で滑止ピン６４の出没を変更できることにより、路面などの接地面の状態に応じたより迅速な操作でより安全な歩行を補助することができる。
【図面の簡単な説明】
【図１】本発明に係る実施例１の伸縮ステッキの構成を示した一部省略半断面正面図である。
【図２】ハンドル部の構成を示した一部省略拡大分解断面正面図である。
【図３】脚側パイプと脚側パイプに挿入されるコイルばね及び石突きの組み立て構成を示した断面正面図である。
【図４】石突きを構成する可動接地体の平面図である。
【図５】伸縮操作部の構成中、脚側パイプに装着した２個のコイルばね部分の周囲に被嵌結合される部品の分解断面図である。
【図６】伸縮操作部の構成を段階的に示した説明図である。
【図７】伸縮操作部の構成説明図である図６（ニ）の詳細を示した拡大半断面図である。
【図８】図６（ニ）のＡ−Ａ線における拡大断面図であり、図８の（ａ）は２個のコイルばねによる脚側パイプのロック状態を、図８の（ｂ）はロック解除状態を示した断面図である。
【図９】実施例２に係る伸縮ステッキにおけるハンドル部の主要部分の構成を示した拡大分解断面正面図である。
【図１０】実施例３に係る伸縮ステッキの石突きの滑止爪が没した状態を示した断面図である。
【図１１】縦方向に切断されていない可動接地体が、図１０のＣ−Ｃ線において横方向に切断されたときの断面図（ａ）と図１０のＤ−Ｄ線において横方向に切断されたときの断面図（ｂ）である。
【図１２】石突きの滑止爪が突出した状態を示した断面図である。
【図１３】縦方向に切断されていない環体が、図１２のＥ−Ｅ線において横方向に切断されたときの断面図（ａ）及び縦方向に切断されていない環体と滑止爪が、図１２のＦ−Ｆ線において横方向に切断されたときの断面図（ｂ）である。
【図１４】実施例４に係る伸縮ステッキの石突きの構成を示した断面正面図である。
【図１５】図１４に示した石突きの底面図である。
【符号の説明】
１０    伸縮操作部
１１    第１コイルばね
１１Ｊ  第１解除操作端
１１Ｍ  第１係止端
１２    第２コイルばね
１２ｊ  第２解除操作端
１２ｍ  第２係止端
１４    スリット付円筒
１４Ｈ  窓穴
１４Ｍ  第１スリット
１４ｍ  第２スリット
１４Ｐ  第１掛止用折片
１４ｐ  第２掛止用折片
１５    分離リング
１５Ｈ  段差
１５ｈ  段差
１６    押圧パイプ
１６ｐ  折片掛止穴
１６ｑ  嵌合穴
１６ｎ  押圧用縁
１６１  キャップ
１６３  上端
１６４  ねじ山
１７    第１操作用リング
１７Ｊ  第１レバー用溝
１７Ｈ  段差
１７１  第１操作レバー
１８    第２操作用リング
１８ｊ  第２レバー用溝
１８ｈ  段差
１８１  第２操作レバー
２１    第１外装筒
２１１  上端
２１Ｑ  第１突起
２２    第２外装筒
２２ｑ  第２突起
３０    ハンドル部
３１    ハンドル側パイプ
３１Ｎ  押圧用縁
３１Ｐ  折片掛止穴
３１Ｑ  嵌合穴
３１Ｓ  舌片嵌合穴
３１１  上端
３１２  下端
３２    上ばね受
３２１  伸長助成ばね
３２２  ばね受
３２３  段差
３３    脱落防止金属線
３３１  支持ピン受
３３２  下端
３３３  防止受
３３５  支持ピン
３４    継手
３４Ｓ  嵌合用舌片
３４１  上端
３４３  ピン穴
３４４  ねじ山
３５    下ばね受
３５Ｒ  嵌合用舌片
３５１  上端
３６    ハンドル
３６１  取付穴
３７    取付ねじ
３８    保護カバー
４０    脚部
４１    脚側パイプ
４１Ｒ  舌片嵌合穴
４１１  上端
４１２  下端
５０    石突き
５１    固定基体
５１１  軸穴
５１２  規制突起
５１３  ラッパ状結合孔
５２    可動接地体
５２１  取付穴
５２２  摺動許容凹陥
５２３  円形凹陥
５２４  ねじ頭用凹陥
５２８  浅溝
５２９  深溝
５３    環体
５３１  固定体
５３２  溝受腕
５３３  環枠
５３４  取付穴
５３８  座グリ
５４    滑止爪
５８    ねじ棒
５８１  圧縮ばね
６１    固定基体
６１１  取付穴
６１２  深溝
６１５  軸穴
６２    接地体
６２１  取付穴
６２３  案内穴
６２４  滑止溝
６２７  溝
６３    収納体
６３１  収納穴
６３２  キー案内穴
６３３  蓋
６３５  止軸
６３６  抜止
６３７  突起環
６３８  溝
６４    滑止ピン
６６    移動体
６６２  キー
６７    回転体
６７１  回転体カバー
６７２  キー溝
６８    スナップリング
【図１】
2004188093.tif 000003
【図２】
2004188093.tif 000004
【図３】
2004188093.tif 000005
【図４】
2004188093.tif 000006
【図５】
2004188093.tif 000007
【図６】
2004188093.tif 000008
【図７】
2004188093.tif 000009
【図８】
2004188093.tif 000010
【図９】
2004188093.tif 000011
【図１０】
2004188093.tif 000012
【図１１】
2004188093.tif 000013
【図１２】
2004188093.tif 000014
【図１３】
2004188093.tif 000015
【図１４】
2004188093.tif 000016
【図１５】
2004188093.tif 000017